(57)【要約】  【課題】  空気調和機本体への風向変更装置の着脱を容易にし，着脱作業を安全に行うこと。  【解決手段】  空気吹出口から送り出される空気流の方向を変更する１又は複数の変更板と，該変更板を揺動自在に支持する支持部材とからなる風向変更装置を備えた空気調和機に，上記支持部材を磁力で吸着させる磁力吸着手段を設ける。また，この空気調和機本体に上記支持部材を位置決め可能に係合する係合部を更に備え，上記空気調和機本体と上記支持部材とが係合される際に，上記空気調和機本体と上記支持部材とが互いに吸引して吸着され得るよう上記係合部に上記磁力吸着手段を設ける。【選択図】図２
2005127671.tif 000002
【特許請求の範囲】
【請求項１】
空気調和機本体の空気吹出口の近傍に着脱可能に設けられ，空気吹出口から送り出される空気流の方向を変更する１又は複数の変更板と，該変更板を揺動自在に支持する支持部材とからなる風向変更装置を備えた空気調和機において，
上記空気調和機本体に上記支持部材を磁力で吸着させる磁力吸着手段を具備してなることを特徴とする空気調和機。
【請求項２】
上記空気調和機本体に上記支持部材を位置決め可能に係合する係合部を更に備え，
上記空気調和機本体と上記支持部材とが係合される際に，上記空気調和機本体と上記支持部材とが互いに吸引して吸着され得るよう上記係合部に上記磁力吸着手段が設けられてなる請求項１に記載の空気調和機。
【請求項３】
上記磁力吸着手段は，上記空気調和機本体若しくは上記支持部材に固着された磁性体と，上記支持部材若しくは上記空気調和機本体に固着された磁石とからなるものである請求項１又は２に記載の空気調和機。
【請求項４】
空気調和機本体の空気吹出口の近傍に着脱可能に設けられ，空気吹出口から送り出される空気流の方向を変更する１又は複数の変更板と，該変更板を揺動自在に支持する支持部材と，上記変更板を連動自在に連接する連接部材と，上記連接部材を駆動する連動装置とからなる風向変更装置を備えた空気調和機において，
上記連動装置の駆動力を上記連接部材に磁気的結合により伝達する磁力伝達手段を含んでなる駆動力伝達部材を具備することを特徴とする空気調和機。
【請求項５】
上記磁力伝達手段は，上記駆動力伝達部材若しくは上記連接部材に固着された磁性体と，上記連接部材若しくは上記駆動力伝達部材に固着された磁石とからなるものである請求項４に記載の空気調和機。
【請求項６】
空気調和機本体の空気吹出口の近傍に着脱可能に設けられ，空気吹出口から送り出される空気流の方向を変更する１又は複数の変更板と，該変更板を揺動自在に支持する支持部材と，上記変更板を連動自在に連接する連接部材と，上記連接部材を駆動する連動装置とからなる風向変更装置を備えた空気調和機において，
上記空気調和機本体に上記支持部材を磁力で吸着させる磁力吸着手段と，
上記連動装置の駆動力を上記連接部材に磁気的結合により伝達する磁力伝達手段を含んでなる駆動力伝達部材と，
を具備することを特徴とする空気調和機。
【請求項７】
上記風向変更装置の装着の有無を検知する着脱検知手段と，上記着脱検知手段による検知結果に応じて，上記空気調和機への電力供給を遮断する電力遮断手段とを更に備えてなる請求項１〜６のいずれかに記載の空気調和機。
【請求項８】
上記着脱検知手段が，上記支持部材に設けられた磁力に基づいて上記風向変更装置の装着の有無を検知するものである請求項７に記載の空気調和機。
【請求項９】
上記磁石が永久磁石或いは電磁石である請求項１〜８のいずれかに記載の空気調和機。
【請求項１０】
上記変更板は，上記支持部材に左右に揺動自在に支持された複数の縦ルーバである請求項１〜９のいずれかに記載の空気調和機。
【発明の詳細な説明】
【技術分野】
【０００１】
本発明は，空気調和機の吹出し方向を偏向させる風向変更板を備える空気調和器に関し，特に空気調和機本体に着脱可能な風向変更板の保持構造に関するものである。
【背景技術】
【０００２】
従来，空気調和機における着脱可能な風向変更装置を備えた空気調和機としては，例えば，特許文献１或いは特許文献２に記載されたものが知られている。
特許文献１には，空気調和機の風向変更装置から板状の上下フラップ（風向変更板）を容易に着脱する方法が記載されている。具体的には，風向き変更装置の枠体に設けられた穴部へバネなどの弾性力によりスライドして挿入されるスライダーが上下フラップの一端と中央部にスライド可能に設けられ，上記バネの弾性力により上記穴部に挿入された上記スライダーをバネの弾性力に抗してスライドさせて上記穴部から上記スライダーを抜き外すことにより，上記穴部と上記スライダーとの係合を解除して，風向変更装置から上下フラップを取り外すようにしている。また，装着時は，上記スライダーをバネの弾性力に抗して予めスライドさせておき，上記スライダーを上記穴部に位置合わせした後に，上記バネの弾性力を開放することで上記穴部と上記スライダーとを係合させている。
また，特許文献２に記載の空気調和機は，空気の吹き出し口を兼ねる風向変更装置に空気調和機本体と係合する複数の係合部が備えられ，これら複数の係合部が空気調和機本体に係合することにより風向変更装置が空気調和機本体に装着され，上記係合部のうち，或る特定の係合部を操作することにより風向変更装置の装着が解除されるよう構成されている。
【特許文献１】特開２００１−３２４１６１号公報
【特許文献２】特開２００１−２０１０９０号公報
【発明の開示】
【発明が解決しようとする課題】
【０００３】
上記いずれの従来公知の空気調和機においても，風向変更装置或いは風向変更板が着脱され，空気調和機本体から取り外されることで，上記空気調和機の空気吹き出し口が開口され，空気調和機内部を容易に清掃することができる点において有用である。しかしながら，風向変更装置或いは風向変更板を着脱するためには複数の係合部のすべてを係合或いは解除しなければならないため，着脱作業が容易であるとは言えない。
また，上記特許文献１に記載の空気調和機では，片手で風向変更装置を支え，他方の手で上記複数の係合部を一つずつ解除しなければならず，高所に設置された空気調和機から風向変更装置を着脱する場合は両手が塞がるため非常に危険である。
従って，本発明は上記事情に鑑みてなされたものであり，その目的とするところは，空気調和機本体への風向変更装置の着脱を容易にし，着脱作業を安全に行うことができる空気調和機を提供することにある。
【課題を解決するための手段】
【０００４】
上記目的を達成するために本発明は，空気調和機本体の空気吹出口の近傍に着脱可能に設けられ，空気吹出口から送り出される空気流の方向を変更する１又は複数の変更板と，該変更板を揺動自在に支持する支持部材とからなる風向変更装置を備えた空気調和機において，上記空気調和機本体に上記支持部材を磁力で吸着させる磁力吸着手段を具備してなることを特徴とする空気調和機として構成されている。これにより，磁力による吸着力により風向変更装置を容易に装着することができ，また，磁力による吸着力を断ち切るという簡略な方法で上記風向変更装置を容易に取り外すことができる。その結果，高所に空気調和機が設置されている場合であっても，風向変更装置の着脱作業を安全に行うことが可能となる。
【０００５】
この場合，上記空気調和機本体に上記支持部材を位置決め可能に係合する係合部を更に備え，上記空気調和機本体と上記支持部材とが係合される際に，上記空気調和機本体と上記支持部材とが互いに吸引して吸着され得るよう上記係合部に上記磁力吸着手段が設けられてなるものであることが望ましい。これにより，風向変更装置の装着位置が容易に定まるため，風向変更装置の取り付けを容易に行うことが可能となるだけでなく，装着位置のズレも生じなくなる。また，強力な磁石を用いずとも風向変更装置がずれ落ちることなくしっかりと装着され得る。
【０００６】
また，上記磁力吸着手段は，上記空気調和機本体若しくは上記支持部材に固着された磁性体と，上記支持部材若しくは上記空気調和機本体に固着された磁石とからなるものでることが望ましい。
【０００７】
また，本発明は，空気調和機本体の空気吹出口の近傍に着脱可能に設けられ，空気吹出口から送り出される空気流の方向を変更する１又は複数の変更板と，該変更板を揺動自在に支持する支持部材と，上記変更板を連動自在に連接する連接部材と，上記連接部材を駆動する連動装置とからなる風向変更装置を備えた空気調和機において，上記連動装置の駆動力を上記連接部材に磁気的結合により伝達する磁力伝達手段を含んでなる駆動力伝達部材を具備することを特徴とする空気調和機として構成されていてもよい。これにより，モータ等からなる上記連動装置により上記変更板を揺動させる機構を有する空気調和機において，上記連動装置と上記変更板とを容易に連結することができる。
この場合，上記磁力伝達手段は，上記駆動力伝達部材若しくは上記連接部材に固着された磁性体と，上記連接部材若しくは上記駆動力伝達部材に固着された磁石とからなるものであることが望ましい。
【０００８】
また，本発明は，空気調和機本体の空気吹出口の近傍に着脱可能に設けられ，空気吹出口から送り出される空気流の方向を変更する１又は複数の変更板と，該変更板を揺動自在に支持する支持部材と，上記変更板を連動自在に連接する連接部材と，上記連接部材を駆動する連動装置とからなる風向変更装置を備えた空気調和機において，上記空気調和機本体に上記支持部材を磁力で吸着させる磁力吸着手段と，上記連動装置の駆動力を上記連接部材に磁気的結合により伝達する磁力伝達手段を含んでなる駆動力伝達部材と，を具備することを特徴とする空気調和機として構成されたものであってもよい。これにより，上記風向変更板の着脱を容易に行うことができるだけでなく，モータ等からなる上記連動装置と上記変更板とを容易に連結し，或いはその連結を解除することができる。
【０００９】
また，上記風向変更装置の装着の有無を検知する着脱検知手段と，上記着脱検知手段による検知結果に応じて，上記空気調和機への電力供給を遮断する電力遮断手段とを更に備えてなるものであってもよい。これにより，例えば，清掃のため上記風向変更板が取り外されていた場合に誤って空気調和機の作動スイッチがＯＮ入力されたとしても，空気調和機に電力が供給されないため安全に清掃作業を行うことができる。この場合，上記着脱検知手段が，上記支持部材に設けられた磁力に基づいて上記風向変更装置の装着の有無を検知するものであることが望ましい。
【００１０】
また，上記磁石が永久磁石或いは電磁石であることが望ましく，更にまた，  上記変更板が上記支持部材に左右に揺動自在に支持された複数の縦ルーバであることが望ましい。
【発明の効果】
【００１１】
以上説明したように，本発明によれば，空気吹出口から送り出される空気流の方向を変更する１又は複数の変更板と，該変更板を揺動自在に支持する支持部材とからなる風向変更装置を備えた空気調和機に，上記支持部材を磁力で吸着させる磁力吸着手段が設けられているため，上記空気調和機に上記風向変更装置を磁力吸着により容易に装着することができ，また，磁力による吸着力を断ち切るという簡略な方法で上記風向変更装置を容易に取り外すことができる。その結果，高所に空気調和機が設置されている場合であっても，風向変更装置の着脱作業を安全に行うことが可能となる。
また，上記変更板を連動自在に連接する連接部材と，上記連接部材を駆動する連動装置とからなる風向変更装置を備えた空気調和機に，上記連動装置の駆動力を上記連接部材に磁気的結合により伝達する磁力伝達手段を含んでなる駆動力伝達部材が備えられているため，上記連動装置と上記変更板とを磁気的結合により容易に連結し，或いはその連結を解除することができる。
また，上記空気調和機に，上記支持部材を磁力で吸着させる磁力吸着手段と，上記連動装置の駆動力を上記連接部材に磁気的結合により伝達する磁力伝達手段とが設けられることにより，上記風向変更板の着脱を容易に行うことができるだけでなく，上記連動装置と上記変更板とを容易に連結し，或いはその連結を解除することができる。
【発明を実施するための最良の形態】
【００１２】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の第１の実施形態に係る空気調和機Ａ１の全体を示す全体斜視図，図２は空気調和機Ａ１の正面図，図３は空気調和機Ａ１に適用される風向変更装置の一例である左右動ルーバの概要を示す三面図，図４は左右動ルーバが取り外された空気調和機Ａ１の内部構造を示す側断面図，図５は左右動ルーバが装着された空気調和機Ａ１の内部構造を示す側断面図，図６は本発明の第２の実施形態に係る空気調和機Ａ２の全体を示す正面図，図７空気調和機Ａ２に適用される風向変更装置の一例である左右動ルーバの概要を示す三面図，図８は左右動ルーバが装着された空気調和機Ａ２の内部構造を示す側断面図である。
【００１３】
《第１の実施形態》
最初に，本発明の第１の実施形態に係る空気調和機Ａ１について説明する。まず，図１及び図２の外形図を用いて，本空気調和機Ａ１の外部構造について説明する。尚，図２（ａ）は左右動ルーバ１０ａが取り外された状態の空気調和機Ａ１の正面図，（ｂ）は左右動ルーバ１０ａが装着された状態の空気調和機Ａ１の正面図である。
本空気調和機Ａ１は，ギャラリ（空気吸込口）１，前面パネル２，本体ケース３，空気吹出口４等を備え，更に，本体ケース３の下部に配置され，上記空気吹出口４の近傍に着脱可能な風向変更装置の一例である左右動ルーバ１０ａ及び上下動ルーバ５（図４参照）を具備してその外部構造が構成されている。また，本空気調和機Ａ１の空気吹出口４の近傍には，上記左右動ルーバ１０ａを位置決め可能に取り付ける係合部２３が形成され，更に，上記空気調和機Ａ１の本体ケース３に上記左右動ルーバ１０ａを磁力で吸着させて着脱可能に取り付けるための２つ磁性プレート２１（磁性体）が固着されている。尚，本実施形態における空気調和機Ａ１では，２つの磁性プレート２１が上記空気調和機Ａ１の本体ケース３に設けられた構成について説明するが，上記磁性プレート２１が３以上の複数設けられた構成であっても，或いは，空気調和機Ａ１の本体ケース３の横幅全域に横長の１枚の磁性プレート２１が設けられた構成であってもかまわない。
【００１４】
ここで，図３を参照して上記左右動ルーバ１０ａの詳細について説明する。
上記左右動ルーバ１０ａは，図３に示すように，空気の吹出方向を左右に変更するためのものであり，横方向に長い形状をしている。この左右動ルーバ１０ａは，空気調和機Ａ１本体の空気吹出口４の近傍に着脱可能に設けられ，空気吹出口４から送り出される空気流の方向を左右に変更する複数の縦ルーバ１２（変更板の一例）と，この縦ルーバ１２を揺動自在に支持する支持部材１１と，上記支持部材１１に支持された上記複数の縦ルーバ１２を連動自在に連接する横方向に長い形状の連接部材１３と，により構成されている。
上記支持部材１１には，上記係合部２３に係合して，上記本体ケース３に上記左右動ルーバ１０ａを位置決め可能に係合するための突起状の係合片２４が突出して形成されている。この係合片２４が上記係合部２３の溝部に嵌ることにより上記支持部材１１が上記本体ケース３に係合される。更に，上記支持部材１１には，上記本体ケース３と上記支持部材１１とが係合される際に，上記本体ケース３と上記支持部材１１とを互いに吸着させるための２つの永久磁石２２が固着されている。即ち，上記支持部材１１には，上記本体ケース３に形成された係合部２３の溝部に固着された上記磁性プレート２１と直接或いは間接的に接触して磁力吸着する２つの永久磁石２２が上記磁性プレート２１に吸着し得る位置に固着されている。この永久磁石２２と，前記磁性プレート２１とにより，上記空気調和機Ａ１の本体ケース３に上記支持部材１１を磁力で吸着させる磁力吸着手段が構成される。尚，本実施形態における空気調和機Ａ１では，上記支持部材１１に磁性プレート２１に対応する２つの永久磁石２２が設けられた構成について説明するが，上記磁性プレート２１が３以上の複数設けられた構成である場合は，上記支持部材１１に上記磁性プレート２１の個数に対応する３以上の上記永久磁石２２を設ける構成であっても良い。また，上記磁性プレートと同様に，上記支持部材１１の横幅全域に横長の１枚の永久磁石２２が設けられた構成であってもかまわない。
【００１５】
次に，図４及び図５の側断面図を用いて，空気調和機Ａ１の内部構造について説明する。
図に示すように，本空気調和機Ａ１には，室内空気を吸い込み，熱交換された空気を室内に送り出す送風機（ファン）６と，前面パネル２の内側に設けられ，塵埃を除去する不図示のフィルタと，上記送風機６の回転によって室内空気を取り入れるギャラリ１と，吸い込まれた室内空気を媒体として熱交換を行う熱交換器７とが設けられている。上記送風機６の回転によって吸い込まれた室内空気は，熱交換器７を通ることにより熱交換され，その後，上記左右動ルーバ１０ａ及び上下動ルーバ５の周囲を通って空気吹出口４から室内に送り出される。このとき，空気吹出口４から送り出されて空気流の方向が上記左右動ルーバ１０ａにより左右に変更され，上記上下動ルーバ５により上下に変更される。
上記空気吹出口４の近傍には，前記したように係合部２３が形成されている。この係合部２３は，上記左右動ルーバ１０ａを構成する支持部材１１が上記本体ケース３に係合し得るよう，横方向に長い溝状（凹状）に形成されている。この係合部２３の溝部には，上記本体ケース３と上記支持部材１１とが係合される際に，上記本体ケース３と上記支持部材１１とが互いに吸引して吸着され得るよう上記磁性プレート２１が固着されている。
また，上記磁性プレート２１の上記本体ケース３を挟んで反対側，即ち，上記本体ケース３の内部側には，上記左右動ルーバ１０ａの装着の有無を検知する磁力センサ２５（着脱検知手段の一例）が設けられている。この磁力センサ２５は磁力や磁束密度の強さに応じた電気信号を出力するホール素子等のセンサである。
【００１６】
上述のように本空気調和機Ａ１が構成されることにより，上記空気調和機Ａ１の本体ケース３と上記左右動ルーバ１０ａの支持部材１１とが単に磁気的吸着によって取り付けられるため，上記空気調和機Ａ１に上記左右動ルーバ１０ａを容易に取り付け，或いは取り外すことができる。従って，例えば，空気調和機Ａ１が高所に設置されている場合であっても，上記左右動ルーバ１０ａの着脱作業を容易に且つ安全に行うことが可能となる。
また，上記磁力センサ２５の出力信号を利用することにより，上記支持部材１３に設けられた永久磁石２２の磁力に基づいて上記左右動ルーバ１０ａの装着の有無を検知することが可能となる。更に，この磁力センサ２５の出力信号（検知結果）に応じて，上記空気調和機Ａ１への電力供給を遮断するマイコン制御装置（電力遮断手段の一例）を設けることにより，空気調和機Ａ１への供給電力を制御することも可能となる。このように構成することにより，例えば空気調和機Ａ１の清掃中に，上記左右動ルーバ１０ａが取り外されていた場合に，誤って空気調和機Ａ１の作動スイッチがＯＮ入力されたとしても，空気調和機Ａ１は作動しないので安全に清掃作業を行うことができる。
【００１７】
《第２の実施形態》
次に，図６，図７及び図８を用いて，本発明の第２の実施形態に係る空気調和機Ａ２について説明する。尚，図６（ａ）は左右動ルーバ１０ｂが取り外された状態の空気調和機Ａ２の正面図，（ｂ）は左右動ルーバ１０ｂが装着された状態の空気調和機Ａ２の正面図である。
本発明の第２の実施形態に係る空気調和機Ａ２は，前記第１の実施形態に係る空気調和機Ａ１が具備する構成に加えて，左右動ルーバ１０ｂに設けられた複数の縦ルーバ１２を連動自在に連接する連接部材１３を駆動する揺動モータ（連動装置）３４と，上記揺動モータ３４の駆動力を上記連接部材１３に伝達する駆動力伝達部材３３と，上記揺動モータ３４を制御する不図示のコントローラとを更に具備して構成されている。
上記左右動ルーバ１０ｂが前記磁力吸着手段により上記空気調和機Ａ２の本体ケース３に磁力吸着して取り付けられると，上記連接部材１３の端部が上記駆動力伝達部材３３の端部に近接或いは接触するように上記駆動力伝達部材３３及び上記揺動モータ３４が配置されている。
上記駆動力伝達部材３３の上記連接部材１３側の端部には，上記揺動モータ３４の駆動力を上記連接部材１３に磁気的結合により伝達する磁力伝達手段を構成する磁性プレート３５（磁性体）が固着されており，また，上記連接部材１３の上記駆動力伝達部材３３側の端部には，上記磁力伝達手段を構成する永久磁石３６が固着されている。
上記揺動モータ３４は，図８に示すように，上記本体ケース３を挟んで空気吹出口４の近傍に設けられた１つの揺動用縦ルーバ３２の反対側，即ち本体ケース３の内部側に設けられており，上記揺動モータ３４の駆動軸は上記揺動用縦ルーバ３２を揺動させるために，上記本体ケース３の内部側から上記揺動用縦ルーバ３２に連結されている。また，上記揺動用縦ルーバ３２には，上記駆動力伝達部材３３が連結されている。従って，上記揺動モータ３４が駆動すると上記揺動用縦ルーバ３２が揺動され，この揺動用縦ルーバ３２の揺動に応じて上記駆動力伝達部材３３が横方向に往復運動する。
【００１８】
上述のように本空気調和機Ａ２が構成されることにより，上記左右動ルーバ１０ｂが上記空気調和機Ａ２の本体ケース３に磁力吸着により取り付けられると，上記永久磁石３６と上記磁性プレート３５とが互いに磁力により引き合って磁気的に結合される。これにより，上記揺動モータ３４が駆動して，上記揺動用縦ルーバ３２が揺動されると，上記駆動力伝達部材３３を介して上記揺動モータ３４の駆動力が磁気的結合された上記連結部材１３に伝達される。これにより，上記複数のルーバが一斉に揺動される。このように，揺動モータ３４等により上記複数の縦ルーバ１２を揺動させる機構を有する空気調和機Ａ２においても，上記縦ルーバ１２の揺動を可能としつつ，上記左右動ルーバ１０ｂを容易に取り付け，或いは取り外すことが可能となる。尚，この第２の実施形態における空気調和機Ａ２は，上記左右動ルーバ１０ｂが上記本体ケース３に磁力吸着により取り付けられるよう構成されているが，上記左右動ルーバ１０ｂが磁力吸着によらず，前記従来公知の方法等のように複数のスライダー等の係合により上記本体ケース３に取り付けられる取付構造を有する空気調和機において，上記連接部材１３の端部に設けられた永久磁石３６が上記駆動力伝達部材３３の端部に設けられた磁性プレート３５に吸引されて磁気的に結合する構成されたものであってもよい。
【実施例】
【００１９】
上述に説明した実施形態においては，空気調和機の本体ケース３に磁性プレート２１が，そして，上記左右動ルーバ１０ａ（１０ｂ）に永久磁石２２が設けられた構成を有する空気調和機について説明したが，上記磁性プレート２１が上記左右動ルーバ１０ａ（１０ｂ）に，上記永久磁石２２が空気調和機の本体ケース３に設けられて構成された空気調和機であってもかまわない。このように構成されて空気調和機であっても，前記実施形態と同様に，上記左右動ルーバ１０ａ（１０ｂ）の着脱を容易に行うことができる。また，この永久磁石を電磁石に置き換えることも，上記永久磁石と同様の磁力部材に置き換えることも可能である。上記永久磁石を上記電磁石或いは上記磁力部材と置換した場合でも，本発明の目的を達成し，前記課題を解決することができる。
【００２０】
また，上述の実施形態においては，左右動ルーバ１０ａ，１０ｂが空気調和機に磁力で吸着される構成について説明したが，特にこれに限定されることはない。例えば，空気調和機本体の空気吹出口の近傍に着脱可能に設けられ，空気吹出口から送り出される空気流の方向を上下に変更する風向変更板の一例である上下動ルーバ５（図４等）を揺動自在に軸支する軸支部と軸部が磁気的に結合する構成であってもよい。
【図面の簡単な説明】
【００２１】
【図１】本発明の第１の実施形態に係る空気調和機Ａ１の全体を示す全体斜視図。
【図２】空気調和機Ａ１の正面図。
【図３】空気調和機Ａ１に適用される風向変更装置の一例である左右動ルーバの概要を示す三面図。
【図４】左右動ルーバが取り外された空気調和機Ａ１の内部構造を示す側断面図。
【図５】左右動ルーバが装着された空気調和機Ａ１の内部構造を示す側断面図。
【図６】本発明の第２の実施形態に係る空気調和機Ａ２の全体を示す正面図。
【図７】空気調和機Ａ２に適用される風向変更装置の一例である左右動ルーバの概要を示す三面図。
【図８】左右動ルーバが装着された空気調和機Ａ２の内部構造を示す側断面図。
【符号の説明】
【００２２】
１…ギャラリ（空気吸込口）
２…前面パネル
３…本体ケース
４…空気吹出口
５…上下動ルーバ（上下方向風向変更装置）
６…送風機
７…熱変換器
１０ａ，１０ｂ…左右動ルーバ（左右方向風向変更装置）
１１…支持部材
１２…変更板
１３…連接部材
２１…磁性プレート（磁性体）
２２…永久磁石
２４…係合片
２５…磁力センサ（着脱検知手段）
３２…揺動用縦ルーバ
３３…駆動伝達部材
３４…揺動モータ（連動装置）
３５…磁性プレート（磁性体）
３６…永久磁石
【図１】
2005127671.tif 000003
【図２】
2005127671.tif 000004
【図３】
2005127671.tif 000005
【図４】
2005127671.tif 000006
【図５】
2005127671.tif 000007
【図６】
2005127671.tif 000008
【図７】
2005127671.tif 000009
【図８】
2005127671.tif 000010